(57)【要約】【課題】赤外線カメラによって得られる画像を簡便な処理によって視認性よく表示する画像表示装置を提供すること。【解決手段】本発明の実施の形態にかかる画像表示装置１００は、赤外線カメラ１０１により撮影した画像から輪郭を抽出する輪郭抽出部と、輪郭抽出部により抽出された輪郭を着色し、輪郭を強調する強調処理部と、強調処理部において強調された輪郭と赤外線カメラ１０１において撮影された画像とを合成表示する液晶表示パネル１０５とを有するものである。【選択図】  図１
2007201549.tif 000002
【特許請求の範囲】
【請求項１】
赤外線カメラにより撮影した原画像から輪郭を抽出する輪郭抽出部と、
前記輪郭抽出部により抽出された輪郭を着色し、前記輪郭を強調する強調処理部と、
前記強調処理部において強調された前記輪郭と前記赤外線カメラにおいて撮影された画像とを合成表示する表示部と、
を有する画像表示装置。
【請求項２】
前記赤外線カメラにより撮影された原画像をコントラスト調整し、コントラスト調整画像を生成するコントラスト調整部をさらに備え、
前記輪郭抽出部は、前記コントラスト調整画像から輪郭を抽出する請求項１に記載の画像表示装置。
【請求項３】
前記赤外線カメラにより撮影された原画像をコントラスト調整し、コントラスト調整画像を生成するコントラスト調整部と、
前記コントラスト調整画像の明るさを調整する明るさ調整部とをさらに備え、
前記表示部は、明るさを調整した前記コントラスト調整画像と前記輪郭とを合成表示する請求項１又は２に記載の画像表示装置。
【請求項４】
前記輪郭抽出部において輪郭が抽出された画像を二値化処理する二値化処理部をさらに備え、
前記強調処理部は、前記二値化処理を行った画像の輪郭を着色する請求項１、２又は３に記載の画像表示装置。
【請求項５】
前記二値化処理部は、前記輪郭を抽出した画像中の隣接する複数の画素ごとに二値化処理する請求項４に記載の画像表示装置。
【請求項６】
前記強調処理部は、前記輪郭と合成される画像に対して色のコントラストが高い色を選択し、前記輪郭を着色する請求項１〜５のいずれか１項に記載の画像表示装置。
【請求項７】
赤外線カメラにより原画像を撮影し、
撮影した原画像から輪郭を抽出し、
抽出した前記輪郭に強調処理を行い、
前記輪郭と前記赤外線カメラにおいて撮影された画像とを合成表示する画像処理方法。
【請求項８】
前記赤外線カメラにより撮影された原画像をコントラスト調整してコントラスト調整画像を生成し、
前記コントラスト調整画像から輪郭を抽出する請求項７に記載の画像処理方法。
【請求項９】
前記赤外線カメラにより撮影された原画像をコントラスト調整してコントラスト調整画像を生成し、
前記コントラスト調整画像の明るさを調整し、
明るさを調整した前記コントラスト調整画像と前記輪郭とを合成表示する請求項７又は８に記載の画像処理方法。
【請求項１０】
前記原画像から輪郭が抽出された画像を二値化処理し、
前記二値化処理を行った画像の輪郭を着色する請求項７、８又は９に記載の画像処理方法。
【請求項１１】
前記二値化処理は、前記輪郭を抽出した画像中の隣接する複数の画素ごとに二値化する請求項１０に記載の画像処理方法。
【請求項１２】
前記強調処理は、前記輪郭と合成される画像に対して色のコントラストが高い色を選択し、前記輪郭を着色する請求項７〜１１のいずれか１項に記載の画像処理方法。
【発明の詳細な説明】
【技術分野】
【０００１】
本発明は、画像表示装置及び画像処理方法に関し、特に詳しくは、赤外線カメラにより撮影した画像を表示する画像表示装置及び画像処理方法に関する。
【背景技術】
【０００２】
自動車を夜間走行する場合、運転者はヘッドライトや街灯などを頼りに低照度環境下で運転している。このため、昼間の運転に比べて視界が悪く、歩行者や障害物の発見が遅れ、事故の危険性が高くなる。そこで、自動車を安全に走行させるため前方視界を補助する情報のニーズが高まっており、これをより効果的に運転者へ伝達するための画像ＨＭＩ（Human Machine Interface）が求められている。
【０００３】
このような前方視界補助情報を提供する技術として、赤外線カメラを用いて自動車の前方を撮影し、得られた画像を表示するナイトビジョンシステムが提案されている（非特許文献１参照）。非特許文献１では、自動車に設置された２台の遠赤外線カメラにより自動車の前方を撮影し、得られた画像をインスツルメントパネル上に設けられたヘッドアップディスプレイで表示している。また、歩行者の位置を検出し、赤外線カメラによる画像中に歩行者を囲む強調枠を表示し運転者の注意を喚起している。
【非特許文献１】"ホンダ「インテリジェント・ナイトビジョンシステム」を新開発"、［online］、２００４年８月２４日、本田技研工業株式会社、［平成１７年１２月２８日検索］、インターネット〈URL：http://www.honda.co.jp/news/2004/4040824a.html〉
【発明の開示】
【発明が解決しようとする課題】
【０００４】
非特許文献１に記載の発明では、赤外線カメラにより撮影した画像から、歩行者であるかどうかの判断を、形状、大きさなどに基づいて行っていた。このような処理は多くの計算を必要とし複雑である。また、２台の赤外線カメラが必要であるため、画像表示装置自体が高価になってしまうという問題がある。
【０００５】
本発明は、このような事情を背景としてなされたものであり、本発明の目的は、赤外線カメラによって得られる画像を簡便な処理によって視認性よく表示する画像表示装置及び画像処理方法を提供することである。
【課題を解決するための手段】
【０００６】
本発明の第１の態様にかかる画像表示装置は、赤外線カメラにより撮影した原画像から輪郭を抽出する輪郭抽出部と、前記輪郭抽出部により抽出された輪郭を着色し、前記輪郭を強調する強調処理部と、前記強調処理部において強調された前記輪郭と前記赤外線カメラにおいて撮影された画像とを合成表示する表示部と、を有する者である。このような構成とすることにより、簡便な処理で赤外線カメラによる画像を視認性よく表示することが可能である。
【０００７】
本発明の第２の態様にかかる画像表示装置は、上記の画像表示装置において、前記赤外線カメラにより撮影された原画像をコントラスト調整し、コントラスト調整画像を生成するコントラスト調整部をさらに備え、前記輪郭抽出部は、前記コントラスト調整画像から輪郭を抽出するものである。このような構成とすることにより、簡便な処理で赤外線カメラによる画像をより視認性よく表示することが可能である。
【０００８】
本発明の第３の態様にかかる画像表示装置は、上記の画像表示装置において、前記赤外線カメラにより撮影された原画像をコントラスト調整し、コントラスト調整画像を生成するコントラスト調整部と、前記コントラスト調整画像の明るさを調整する明るさ調整部とをさらに備え、前記表示部は、明るさを調整した前記コントラスト調整画像と前記輪郭とを合成表示するものである。このような構成とすることにより、簡便な処理で赤外線カメラによる画像をさらに視認性よく表示することが可能である。
【０００９】
本発明の第４の態様にかかる画像表示装置は、上記の画像表示装置において、前記輪郭抽出部において輪郭が抽出された画像を二値化処理する二値化処理部をさらに備え、前記強調処理部は、前記二値化処理を行った画像の輪郭を着色するものである。このような構成とすることにより、簡便な処理で赤外線カメラによる画像をさらに視認性よく表示することが可能である。
【００１０】
本発明の第５の態様にかかる画像表示装置は、上記の画像表示装置において、前記二値化処理部は、前記輪郭を抽出した画像中の隣接する複数の画素ごとに二値化処理するものである。このような構成とすることにより、画像データ中のノイズの影響を抑制することができ、赤外線カメラによる画像をより視認性よく表示することができる。
【００１１】
本発明の第６の態様にかかる画像表示装置は、上記の画像表示装置において、前記強調処理部は、前記輪郭と合成される画像に対して色のコントラストが高い色を選択し、前記輪郭を着色するものである。このような構成とすることにより、赤外線カメラによる画像を視認性よく表示することが可能である。
【００１２】
本発明の第７の態様にかかる画像処理方法は、上記の画像処理方法において、赤外線カメラにより原画像を撮影し、撮影した原画像から輪郭を抽出し、抽出した前記輪郭に強調処理を行い、前記輪郭と前記赤外線カメラにおいて撮影された画像とを合成表示する。これにより、簡便に赤外線カメラによる画像を視認性よく表示することが可能である。
【００１３】
本発明の第８の態様にかかる画像処理方法は、上記の画像処理方法において、前記赤外線カメラにより撮影された原画像をコントラスト調整してコントラスト調整画像を生成し、前記コントラスト調整画像から輪郭を抽出する。これにより、簡便に赤外線カメラによる画像をより視認性よく表示することが可能である。
【００１４】
本発明の第９の態様にかかる画像処理方法は、上記の画像処理方法において、前記赤外線カメラにより撮影された原画像をコントラスト調整してコントラスト調整画像を生成し、前記コントラスト調整画像の明るさを調整し、明るさを調整した前記コントラスト調整画像と前記輪郭とを合成表示する。これにより、簡便に赤外線カメラによる画像をさらに視認性よく表示することが可能である。
【００１５】
本発明の第１０の態様にかかる画像処理方法は、上記の画像処理方法において、前記原画像から輪郭が抽出された画像を二値化処理し、前記二値化処理を行った画像の輪郭を着色する。これにより、簡便に赤外線カメラによる画像をさらに視認性よく表示することが可能である。
【００１６】
本発明の第１１の態様にかかる画像処理方法は、上記の画像処理方法において、前記二値化処理は、前記輪郭を抽出した画像中の隣接する複数の画素ごとに二値化する。これにより、画像データ中のノイズの影響を抑制することができ、赤外線カメラによる画像をより視認性よく表示することができる。
【００１７】
本発明の第１２の態様にかかる画像処理方法は、上記の画像処理方法において、前記強調処理は、前記輪郭と合成される画像に対して色のコントラストが高い色を選択し、前記輪郭を着色する。これにより、赤外線カメラによる画像をより視認性よく表示することが可能である。
【発明の効果】
【００１８】
本発明によって、赤外線カメラによって得られる画像を簡便な処理によって視認性よく表示する画像表示装置及び画像処理方法を提供することができる。
【発明を実施するための最良の形態】
【００１９】
以下に、本発明を適用可能な実施の形態について図を用いて説明する。以下の説明は、本発明の実施形態を説明するものであり、本発明が以下の実施形態に限定されるものではない。又、当業者であれば、以下の実施形態の各要素を、本発明の範囲において容易に変更、追加、変換することが可能である。
【００２０】
本発明の実施の形態にかかる画像表示装置について、図１を参照して説明する。ここでは、本実施の形態にかかる画像表示装置として、自動車の前方視界補助情報を表示する車載用のＴＦＴ型の液晶表示装置を例として説明する。図１は、本実施の形態に係る画像表示装置１００の構成を示すブロック図である。図１に示すように、画像表示装置１００は、赤外線カメラ１０１、Ａ／Ｄコンバータ１０２、画像処理部１０３、タイミングコントローラ１０４、液晶表示パネル１０５などを有している。本発明にかかる画像表示装置１００は、赤外線カメラ１０１により撮影した原画像を、画像処理部１０３において画像処理することにより、液晶表示パネル１０５において視認性よく表示するものである。本発明において注目すべき点は画像処理部１０３であり、後に詳述する。
【００２１】
赤外線カメラ１０１は、自動車の走行方向（前方）に向けて取り付けられている。赤外線カメラ１０１は、物体から放射される赤外線を検出することにより、自動車の前方の光景を撮影し、撮影した原画像のビデオデータを出力する。ここで、全ての物体は、その物体自体の温度と一義的関係にある強度の赤外線を放射している。このため、赤外線カメラ１０１により撮影される物体の温度が高いほど、階調の高いビデオデータとなる。したがって、例えば、歩行者などの熱を発する物体は比較的高い階調のビデオデータとなり、対向車などは比較的低い階調のビデオデータとなる。
【００２２】
しかしながら、このような赤外線カメラ１０１は、自然光や照射光よりもエネルギーの小さな熱放射（熱輻射）に基づいて略常温の物体を撮影するので、得られる信号レベルが低く、また、ダイナミックレンジも狭い。このため、赤外線カメラ１０１により得られる原画像としては、鮮明な画像が得られない。そこで、本発明においては、画像処理部１０３において上記の原画像を画像処理することにより、より鮮明な視認性のよい画像とする。
【００２３】
Ａ／Ｄコンバータ１０２は、赤外線カメラ１０１から出力されるアナログのビデオデータをデジタルの画像データに変換する。画像処理部１０３は、入力されるデジタルの画像データに対して画像処理を行い、表示データを出力する。なお、画像処理部１０３をＡ／Ｄコンバータ１０２の入力側に設けることも可能である。この画像処理部１０３及び画像処理方法については、後に詳述する。
【００２４】
タイミングコントローラ１０４は、電気的に液晶表示パネル１０５に接続され、液晶表示パネル１０５において表示させるための各種制御信号、表示データを液晶表示パネル１０５に出力する。
【００２５】
液晶表示パネル１０５は、画像処理部１０３から出力される表示データに基づいて、画像を表示する。液晶表示パネル１０５は、複数の画素から構成される表示領域を有しており、ＴＦＴ（Thin Film Transistor）アレイ基板（不図示）と対向配置される対向基板（不図示）との間に液晶を挟持した構成を有している。ＴＦＴアレイ基板には、水平方向にゲート線（走査線）、垂直方向にソース線（信号線）がそれぞれ形成されており、ゲート線とソース線の交差点付近にはＴＦＴが設けられている。また、ゲート線とソース線との間にマトリクス状に形成された複数の画素電極を有している。一方、対向基板上にはコモン電極及びＲ（赤）、Ｇ（緑）Ｂ（青）のカラーフィルタが形成されている。
【００２６】
液晶表示パネル１０５にはゲートドライバ１０６及びソースドライバ１０７が設けられている。ゲートドライバ１０６及びソースドライバ１０７は、タイミングコントローラ１０４から入力された各種の制御信号に基づいて、液晶表示パネル１０５を駆動し、画像を表示させる。
【００２７】
ゲートドライバ１０６及びソースドライバ１０７は、ＣＯＧ（Chip  On  Glass）技術を用いて、ＴＦＴアレイ基板の表面に直接実装されている。なお、ＣＯＧ技術に限られず、それ以外の技術を用いて、各ドライバと液晶表示パネルとが接続された構成としてもよい。例えば、ＴＡＢ（Tape  Automated  Bonding）技術を用いて、ＦＰＣ（Flexible  Printed  Circuit）の上にＩＣチップがボンディングされたＴＣＰ（Tape  Carrier  Package）を液晶表示パネルに電気的に接続する構成としてもよい。
【００２８】
また、ここでは、タイミングコントローラ１０４と画像処理部１０３とを別々に設ける構成としたが、１つのチップとして構成することも可能である。さらに、ゲートドライバ１０６及びソースドライバ１０６もまとめて１つのチップとして構成することも可能である。
【００２９】
ここで、液晶表示パネル１０５の駆動方法について説明する。まず、外部電源からＤＣ／ＤＣコンバータを介して、ゲートドライバ１０６、ソースドライバ１０７及び各ロジック回路へ電圧を供給する。赤外線カメラ１０１により撮影された原画像のアナログのビデオデータは、Ａ／Ｄコンバータ１０２に伝送され、デジタルの画像データに変換される。変換された画像データは、画像処理部１０３に入力され、画像処理を施し表示データとしてタイミングコントローラ１０４へ出力される。
【００３０】
タイミングコントローラ１０４には、例えば、１画素分の表示データの入力サイクルであるドットクロック信号、水平同期信号Ｈｓｙｎｃ、垂直同期信号Ｖｓｙｎｃなどを含む同期信号が入力されている。タイミングコントローラ１０４は、受信した各種信号を処理し、ゲートドライバ１０６及びソースドライバ１０７へ供給すべき各種制御信号を、必要なタイミングで出力する。
【００３１】
ゲートドライバ１０６へは、スタートパルス信号、クロック信号、及びイネーブル信号などが、タイミングコントローラ１０４から入力される。スタートパルス信号がＯＮ信号を出力するゲート線を選択し、イネーブル信号が走査信号の出力制御を行うことによって、各ゲート線において順次ＯＮ信号が出力される。通常、ゲートドライバ１０６は、１行目から後段の行に向けて、各行の画素を順次走査するように走査信号を出力する。
【００３２】
一方、ソースドライバ１０７は、液晶表示パネル１０５の各ソース線に対して、タイミングコントローラ１０４から指示されるタイミングに従って、表示データに対応した表示信号を供給する。ソースドライバ１０７から入力される表示信号がＴＦＴのソース／ドレインを介して画素電極に供給され、画素電極に階調に応じた電圧が印加される。そして、画素電極と対向電極との間の液晶に電界を印加する。このように、各スイッチング素子を駆動させ、蓄積させる電荷量を階調に応じて制御すると、画素ごとに液晶の配向状態が変化する。これによって、バックライト（不図示）から入射される光の透過量を制御し、画素ごとに明るさを変化させることができる。液晶表示パネル１０５の各画素は、透過する光量に応じた色の濃淡とＲＧＢいずれかの色表示により画像の表示を行う。
【００３３】
ここで、図２を参照して、本実施の形態にかかる画像処理部１０３の構成について説明する。図２は、本実施の形態にかかる画像処理部１０３の構成の一例を示すブロック図である。図２に示すように、画像処理部１０３は、コントラスト調整部１０８、明るさ調整部１０９、輪郭抽出部１１０、二値化処理部１１１、合成部１１２を有している。
【００３４】
コントラスト調整部１０８の出力側には、明るさ調整部１０９が設けられている。また、コントラスト調整部１０８の出力側には、輪郭抽出部１１０が設けられている。したがって、コントラスト調整部１０８からの出力は、明るさ調整部１０９及び輪郭抽出部１１０に入力される。輪郭抽出部１１０の出力側には、二値化処理部１１１が設けられている。そして、明るさ調整部１０９及び二値化処理部１１１の出力側には、合成部１１２が設けられている。したがって、合成部１１２は、明るさ調整部１０９において生成された明るさを調整したコントラスト調整画像と二値化処理され色づけを行った輪郭の画像データが入力される。
【００３５】
ここで、画像処理部１０３における画像処理方法について図３を参照して説明する。図３は、本実施の形態にかかる画像処理方法を説明するフローチャートである。図３に示すように、まず、コントラスト調整部１０８に、Ａ／Ｄコンバータ１０２から画像データが入力される（ステップＳ１）。このとき、上述したように、撮影した原画像のビデオデータは、その物体自体の温度と一義的関係にある強度の赤外線により得られているため、物体の温度が高いほど、階調が高いデータとなっている。このため、例えば、熱を発している歩行者は階調が高いデータであり、熱を発していない対向車などは階調が低いデータとなる。しかしながら、赤外線カメラ１０１により得られる原画像のビデオデータは強度が低く、また、ダイナミックレンジも狭いため、歩行者と対向車の画像データの階調の差が少ない。
【００３６】
そこで、コントラスト調整部１０８において、入力される画像のコントラストを調整し、コントラスト調整画像を生成する（ステップＳ２）。例えば、１２７−２５５階調にある輝度差の少ない、ぼやけた原画像の画像データのレンジを０−２５５階調へと拡大することによって、画像の明暗をはっきりさせ、コントラストの高いコントラスト調整画像を生成することができる。したがって、入力される原画像の画像データにおいて比較的階調が高い歩行者の画像データと比較的階調が低い対向車の画像データ階調の差を、コントラストを調整することによって大きくすることができる。これにより、後述する輪郭抽出部１１０において、よりはっきりした歩行者の輪郭を抽出することができ、より視認性よく画像を表示することができる。そして、コントラスト調整部１０８は、コントラスト調整画像の画像データを明るさ調整部１０９及び輪郭抽出部１１０へ出力する。
【００３７】
そして、明るさ調整部１０９は、コントラスト調整された画像の明るさを調整する（ステップＳ３）。例えば、入力されるすべての画素のもとの画像データに対して、一定の階調データを加算又は減算することにより明るさを調整することができる。なお、ここでは図示していないが、明るさ調整部１０９及び後述する二値化処理部１１１からそれぞれ出力される画像データを後述する合成部１１２において合成するため、明るさ調整部１０９には明るさを調整したコントラスト調整画像の画像データを保持するバッファが設けられている。
【００３８】
一方、輪郭抽出部１１０は、コントラスト調整部１０８においてコントラストを調整したコントラスト調整画像から被写体の輪郭を抽出する（ステップＳ４）。例えば、図４で示すような３×３マトリクスの輪郭抽出フィルタ１１３を用いることによって、コントラスト調整画像から輪郭を抽出することができる。したがって、この場合は、図３においては図示していないが、輪郭抽出部１１０には３ラインバッファが設けられている。
【００３９】
輪郭抽出部１１０では、コントラスト調整部１０８においてコントラストを調整したコントラスト調整画像から輪郭を抽出するため、歩行者の輪郭はより高い階調の画像データとして抽出することができる。一方、対向車の輪郭は、低い階調の画像データあるいは途切れ途切れの輪郭として抽出される。なお、対向車がライトをつけている場合には、ライトも熱を発しているため赤外線カメラ１０１により原画像に撮影されることとなる。しかし、ライトは熱を拡散しており、はっきりとした輪郭が存在しない。このため、輪郭抽出部１１０においてライトの輪郭は抽出されない。
【００４０】
二値化処理部１１１は、輪郭抽出部１１０において得られた輪郭画像の画像データを二値化処理する。具体的には、ある閾値を設定し、画素の画像データが閾値より下であれば０階調、閾値以上であれば２５５階調と判定する。例えば、１２７階調を閾値とすると、１２７階調より下を０階調、１２７階調以上を２５５階調とする。この閾値を調整することによって、歩行者の輪郭は２５５階調、対向車の輪郭は０階調とすることができる。この二値化処理は、１画素ごとに行ってもよいが、複数画素をまとめて行うのが好ましい。例えば、隣接する４画素のうち、３画素以上が閾値以上であればこれらの４画素を２５５階調とし、２画素以下であればまとめて０階調とすることができる。これにより、ノイズの影響を排除でき、より視認性のよい画像を表示することができる。
【００４１】
また、二値化処理をした後、二値化処理部１１１は、輪郭画像を着色し強調処理を行う。したがって、二値化処理部１１１は、輪郭を強調する強調処理部をかねている。上述したように、歩行者の輪郭は２５５階調となるため着色され強調されるが、対向車の輪郭は０階調となるため着色されない。この着色処理としては、例えば、（Ｒ（赤）、Ｇ（緑）、Ｂ（青））の階調をそれぞれ（２５５、０、２５５）とし、マゼンタ色にすることができる。この着色の色は、後述する合成部１１２において、当該着色された輪郭画像と合成される明るさを調整したコントラスト調整画像に対して視認性が高い色が好ましい。すなわち、背景となる画像に対して、色のコントラストが高い色が好ましい。例えば、明るさを調整したコントラスト調整画像が全体的にグレーである場合、輪郭の色としては赤、橙などの暖色系の色を選択することができる。また、運転者の注意を喚起するため、赤や黄などとしてもよい。
【００４２】
その後、合成部１１２において、明るさ調整部１０９から入力される明るさを調整したコントラスト調整画像と、二値化処理部１１１から入力される着色された輪郭とを合成する（ステップＳ６）。これにより、歩行者などの熱を発する物体の輪郭が着色され、視認性のよい画像の表示データが生成される。
【００４３】
合成部１１２は、この表示データをタイミングコントローラ１０４に出力する。そして、上述のようにタイミングコントローラ１０４から、表示データが液晶表示パネル１０５のソースドライバ１０７に出力される。液晶表示パネル１０５は、この表示データに応じた画像を表示する。このようにして液晶表示パネル１０５で表示される画像においては、歩行者などの熱を発する物体の輪郭が視認性の高い色で着色されている。このため、運転者は、歩行者などの安全確認対象を道路や対向車などの背景から分離して明確に認識することができる。
【００４４】
なお、上述の説明では、コントラスト調整部１０８、明るさ調整部１０９を設ける構成とした例について説明したが、これに限定されない。例えば、コントラスト調整部１０８を設けない構成とすることも可能である。赤外線カメラ１０１によって撮影した原画像から直接輪郭抽出部１１０において輪郭を抽出することも可能である。また、二値化処理部１１１を設けない構成としてもよい。輪郭抽出部１１０において抽出した輪郭に直接着色処理を行ってもよい。また、コントラスト調整部１０８、二値化処理部１１１を両方とも設けなくてもよい。
【００４５】
さらに、明るさ調整部１０９を設けない構成としてもよい。合成部１１２において輪郭の画像データと合成する画像を、赤外線カメラ１０１によって撮影した原画像としてもよい。
【００４６】
なお、ここでは、画像処理部１０３を回路として構成した例を示したが、これに限られず、プログラム（ソフトウエア）として構成してもよい。また、本発明にかかる画像処理方法は、ＰＤＰ、有機ＥＬなどさまざまな画像表示装置に利用することが可能である。
【図面の簡単な説明】
【００４７】
【図１】本実施の形態にかかる液晶表示装置の構成の一例を示すブロック図である。
【図２】本実施の形態にかかる画像処理部の構成の一例を示すブロック図である。
【図３】本実施の形態にかかる画像処理方法を説明するためのフローチャートである。
【図４】本実施の形態にかかる画像処理に用いる輪郭抽出フィルタの一例を示す図である。
【符号の説明】
【００４８】
１００  液晶表示装置
１０１  赤外線カメラ
１０２  Ａ／Ｄコンバータ
１０３  画像処理部
１０４  タイミングコントローラ
１０５  液晶表示パネル
１０６  ゲートドライバ
１０７  ソースドライバ
１０８  コントラスト調整部
１０９  明るさ調整部
１１０  輪郭抽出部
１１１  二値化処理部
１１２  合成部
１１３  輪郭抽出フィルタ
【図１】
2007201549.tif 000003
【図２】
2007201549.tif 000004
【図３】
2007201549.tif 000005
【図４】
2007201549.tif 000006